(57)【特許請求の範囲】
【請求項１】
防液性シート層とこのシート層に接着された疎液性繊維の不織布からなり、この不織布の疎液性繊維に加えて親液性繊維の密集した部分をすじ状に組み込み、疎液性繊維の部分と親液性繊維の密集した部分を間隔を置いて交互に設けてなる熱媒体の平面流下不織布シート。
【請求項２】
請求項１に記載された熱媒体の平面流下不織布シートにおいて、前記親液性繊維の密集したすじ状の部分は、不織布シートの側縁に近いものの方がより内側のものに比べて親液性繊維の密集度または目付量を大きく設定されている熱媒体の平面流下不織布シート。
【請求項３】
請求項１に記載された熱媒体の平面流下不織布シートにおいて、前記不織布は防液性シート層の片側の表面にのみ接着されている熱媒体の平面流下不織布シート。
【請求項４】
請求項１に記載された熱媒体の平面流下不織布シートにおいて、前記不織布は、防液性シート層を挟んでその両側の表面に接着されている熱媒体の平面流下不織布シート。
【請求項５】
請求項１に記載された熱媒体の平面流下不織布シートにおいて、前記不織布の部分と親液性繊維の密集した部分が凹凸面を形成している熱媒体の平面流下不織布シート。
【請求項６】
請求項３または４に記載された熱媒体の平面流下不織布シートにおいて、前記防液性シートが合成樹脂織布、ゴムコーティング層または塩ビ、ポリエチレン等の樹脂コーティング層からなる熱媒体の平面流下不織布シート。
【発明の詳細な説明】
【０００１】
【産業上の利用分野】
本発明は、熱媒体の平面流下不織布シート、特に、流下式太陽集熱シート、屋根冷却シート、潜熱損失を利用した熱媒体冷却用の蒸発シート、廃液や海水等の原液を濃縮するのに用いる蒸発シート、放熱シート、降雪除去のための熱媒体平面流下用の不織布シートに係る。
【０００２】
【従来の技術】
熱交換面に規正線を設け、この規正線により熱媒体の流下方向を拘束する方法は、例えば、本件出願と同一の出願人による特開昭６３−２９７９６６号（特願昭６２−１３４３７６号）から公知となっている。
【０００３】
【発明が解決しようとする課題】
熱媒体の取扱い流量が多い場合には、保液量の大きな比較的厚みのある繊維質シートが用いられる。これに対し、熱媒体の流量の少ない場合には、疎液性部分の横幅を狭め且つ本数を増やして保液性部分の流下経路を細分化すると良い結果が得られる。しかしながら、移動流体の流量、粘度、表面張力に見合う理想的な規正線の間隔、本数、織布厚を適宜選択したくとも製造工程が繁雑化し、品種が増え、多種類の規格品の面倒な在庫管理を必要とする等の問題が伴うため実現性に乏しい。
本発明の目的は、生産管理／在庫管理の容易な簡単に製造できる単純な構造をした安価な平面流下不織布シートを提供することにある。
【０００４】
【課題を解決するための手段】
本発明によれば、防液性シート層とこのシート層に接着された疎液性繊維の不織布からなり、この不織布の疎液性繊維に加えて親液性繊維の密集した部分をすじ状に組み込み、疎液性繊維の部分と親液性繊維の密集した部分を間隔を置いて交互に設けてなる熱媒体の平面流下不織布シートが得られる。
【０００５】
【作用】
疎液性繊維の不織布の必要箇所に組み込まれる親液性繊維の密集した部分と、疎液性繊維の部分との間に保液性の違いによる境界域が形成される。これら保液性の異なる２つの部分が適当な間隔を設けて交互に並ぶことにより境界域は規正線を形成し、熱媒体の拘束経路が形成される。
規正線は熱媒体の流下方向に規則性を持たせ偏流の起きるのを阻止することができる。偏流が生じた場合もこれを元の適切な流下状態に復帰させる働きをし、織布の変形等による影響を最大限抑制し、熱媒体の流下性状を安定化させることができる。
尚、本明細書中で使用する用語「親液性」と「疎液性」なる用語は相対的な比較用語であり、例えば、親液性に劣る繊維に対してこれよりも親液性に富む繊維を使用する場合、後者の繊維を親液性繊維とするならば前者の繊維は疎液性繊維であると言える。これら性質の異なる繊維を使用したり、繊維密度または目付量を変えることで規正領域が形成され、流下熱媒体は拘束を受けるようになる。
【０００６】
【実施例】
図１は、疎液性繊維より作られた不織布１とこの不織布の疎液性繊維に加えて組み込まれた親液性繊維の密集したすじ状の部分２の交互に並ぶ平面流下不織布シートの一例を示す斜視説明図である。
【０００７】
疎液性繊維から作られた不織布は、繊維そのものは撥水性を示すが、不織布に接触する熱媒体は織り目に浸透するため、不織布そのものはある程度の保液性を備えている。この不織布に組み込まれた親液性繊維の密集したすじ状の部分２は、不織布の他の部分に比較してより顕著な保液性を示し、両者の間には保液性の違いによる境界域が形成されている。
【０００８】
前述の如く構成することにより、不織布に組み込まれた親液性縦繊維のすじ状の部分２に熱媒体を供給すると、このすじ状の部分は熱媒体を速やかに吸収し、熱媒体はすじ状の部分２に沿って流下していく。流下する途中の熱媒体は隣接する不織布の繊維間に侵入し、この不織布の部分に沿って流下していく。結果的に、流量の多い流下経路とこれら流量の多い流下経路の間に位置する比較的流量の少ない流下経路が隣接して形成され、強い流れの部分と弱い流れの部分が交互に分布する平面流が形成される。図２は、こうした熱媒体の挙動を模式的に矢印で示している。
【０００９】
これに対し、不織布の疎水性部分に熱媒体を供給すると、この不織布の疎水性部分の繊維間に捕捉された熱媒体は疎水性部分に沿って流下していくが、隣接する親水性縦繊維の密集したすじ状の部分２にも速やかに吸収され、疎水性部分に沿った主流とすじ状の部分に沿った副流が形成される。図３はこの状態を模式的に表わしている。
【００１０】
図２に示す流下方式によれば、比較的境界域のはっきりした流量分布となるが、図３に示す流下方式を採用した場合、図２のものよりも境界域が不鮮明となり流下面全面にわたって比較的一定した平面流が形成される。本発明の織布構造によれば、１枚の織布で２通りの使分けができる。
【００１１】
前記親液性繊維の密集したすじ状の部分は、不織布シートの側縁に近いものの方がより内側のものに比べて親液性繊維の密集度または目付量を大きく設定することができる。
【００１２】
不織布は、一方の表面に防液性のある合成樹脂シートまたは別の織布を接着することができる。合成樹脂シートの接着には、合成樹脂コーティング加工も含まれる概念である。これとは別に、１枚の合成樹脂シートの両側表面に前述した不織布を貼り付けることもできる。
【００１３】
前記不織布に加えて親液性繊維を密集して組み込むと、この部分が不織布の疎水性部分に比べて僅かに台形断面状に膨らみ、すじ状の凹凸面が形成されることもある。こうして完成された織布は、必要に応じ、転圧ローラを用いて圧密加工を施すことができる。
【００１４】
前記防液性織布には、例えば、アクリル布地、ポリエステル生地を使用することができる。また防液性合成樹脂シートには、ポリエチレン、塩化ビニリデン、ポリエステル、アクリル、塩ビ、フッ化ビニル、フッ化エチレン−フッ化プロピレン、フッ化エチレン−エチレン、その他の含フッ素樹脂を使用することができる。
【００１５】
【発明の効果】
いたって簡単迅速に実施できる親液性縦繊維の組込み加工により、保液性に富む部分とこの部分よりも比較的保液性に劣る部分が造作され、これら両方の部分の境界域が保液性の転移領域となり規正線が形成される。保液性の転移境界線を明確に形成すれば熱媒体の拘束効果は高まるが、高い流下精度を必要としない場合には転移領域の輪郭は明確でなくてもよく、流下熱媒体の拘束程度をある程度自由に設定することができ、即時的に需要家の要求に見合う平面流下用の規正シートを連続的に製造することができる。
【図面の簡単な説明】
【図１】本発明による熱媒体の平面流下不織布シートの一例を示す断面斜視図。
【図２】親液性繊維の密集したすじ状の部分に熱媒体を流した場合の液の挙動を示す説明図。
【図３】不織布の疎水性部分に熱媒体を流した場合の液の挙動を示す説明図。
【符号の説明】
１    不織布
２    親液性の縦繊維を密集して組み込んだすじ状の部分
【図１】
0003581915.tif 000002
【図２】
0003581915.tif 000003
【図３】
0003581915.tif 000004